【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
不飽和脂肪酸成分を含む絶縁性液体とトナー粒子とを有する液体現像剤を用いて記録媒体に形成された像を、定着ローラを用いて前記記録媒体に定着する定着方法であって、
前記不飽和脂肪酸成分の酸化重合反応を促進させる酸化重合促進剤を含有する前記定着ローラ表面を用いて前記像に含まれる前記不飽和脂肪酸成分と、前記定着ローラに含有された前記酸化重合促進剤とを接触させることを特徴とする定着方法。
【請求項２】
前記酸化重合促進剤は、脂肪酸金属塩である請求項１に記載の定着方法。
【請求項３】
前記定着ローラの温度は、８０〜２００℃である請求項１または２に記載の定着方法。
【請求項４】
前記定着ローラに押圧して、前記記録媒体に圧力を加える加圧ローラを有する請求項１ないし３のいずれか１項に記載の定着方法。
【請求項５】
前記記録媒体に前記像を定着させた後に、前記定着ローラの表面に付着した前記絶縁性液体を除去する請求項１ないし４のいずれか１項に記載の定着方法。
【請求項６】
前記不飽和脂肪酸成分は、少なくとも、共役化した不飽和結合を有する成分を含む請求項１ないし５のいずれか１項に記載の定着方法。
【請求項７】
不飽和脂肪酸成分の酸化重合反応を促進させる酸化重合促進剤を含む定着ローラ、および記録媒体を介して前記定着ローラを押圧して前記定着ローラに含まれた前記酸化重合促進剤を前記像に付着させる加圧ローラを有する定着部、
を備えることを特徴とする定着装置。
【請求項８】
絶縁性液体とトナー粒子とを含む液体現像剤を貯留する液体現像剤貯留部と、
前記液体現像剤貯留部より供給された前記液体現像剤を用いて現像する現像部と、
像担持体と、
前記現像部で前記像担持体に現像された像を記録媒体に転写する転写部と、
前記不飽和脂肪酸成分の酸化重合反応を促進させる酸化重合促進剤を含む定着ローラ、および記録媒体を介して前記定着ローラを押圧して前記定着ローラに含まれた前記酸化重合促進剤を前記像に付着させる加圧ローラを有する定着部と、
を備えることを特徴とする画像形成装置。
【手続補正２】
【補正対象書類名】明細書
【補正対象項目名】発明の名称
【補正方法】変更
【補正の内容】
【発明の名称】定着方法、定着装置および画像形成装置
【手続補正３】
【補正対象書類名】明細書
【補正対象項目名】０００１
【補正方法】変更
【補正の内容】
【０００１】
本発明は、定着方法、定着装置および画像形成装置に関するものである。
【手続補正４】
【補正対象書類名】明細書
【補正対象項目名】０００６
【補正方法】変更
【補正の内容】
【０００６】
本発明の目的は、トナー粒子を記録媒体に強固に定着させることが可能な定着方法、定着装置および画像形成装置を提供することにある。
【手続補正５】
【補正対象書類名】明細書
【補正対象項目名】０００７
【補正方法】変更
【補正の内容】
【０００７】
このような目的は、下記の本発明により達成される。
本発明の定着方法は、不飽和脂肪酸成分を含む絶縁性液体とトナー粒子とを有する液体現像剤を用いて記録媒体に形成された像を、定着ローラを用いて前記記録媒体に定着する定着方法であって、
前記不飽和脂肪酸成分の酸化重合反応を促進させる酸化重合促進剤を含有する前記定着ローラ表面を用いて前記像に含まれる前記不飽和脂肪酸成分と、前記定着ローラに含有された前記酸化重合促進剤とを接触させることを特徴とする。
これにより、特に高い温度に加熱しなくても、トナー粒子を記録媒体上に強固に定着させることができる。さらに、定着に時間がかからないため、印刷速度のさらなる高速化を図ることができる。また、定着に大きい熱量を必要としないため、省エネルギー化も図ることができる。
【手続補正６】
【補正対象書類名】明細書
【補正対象項目名】０００８
【補正方法】変更
【補正の内容】
【０００８】
本発明の定着方法では、前記酸化重合促進剤は、脂肪酸金属塩であることが好ましい。
これにより、より確実に不飽和脂肪酸成分の酸化重合反応を生じさせることができる。
本発明の定着方法では、前記定着ローラの温度は、８０〜２００℃であることが好ましい。
これにより、不飽和脂肪酸成分の酸化重合反応をより効果的に進行させることができ、トナー粒子の定着強度をより効果的に向上させることができる。
【手続補正７】
【補正対象書類名】明細書
【補正対象項目名】０００９
【補正方法】変更
【補正の内容】
【０００９】
本発明の定着方法では、前記定着ローラに押圧して、前記記録媒体に圧力を加える加圧ローラを有することが好ましい。
これにより、より確実に不飽和脂肪酸成分の酸化重合反応を生じさせ、より強固に定着させることができる。
本発明の定着方法では、前記記録媒体に前記像を定着させた後に、前記定着ローラの表面に付着した前記絶縁性液体を除去することが好ましい。
これにより、繰り返し定着する場合において、より確実にトナー画像中の不飽和脂肪酸成分と、酸化重合促進剤とを接触させることができる。
本発明の定着方法では、前記不飽和脂肪酸成分は、少なくとも、共役化した不飽和結合を有する成分を含むことが好ましい。
これにより、不飽和脂肪酸成分の酸化重合反応をより効果的に進行させることができ、トナー粒子の定着強度をより効果的に向上させることができる。
本発明の定着装置は、不飽和脂肪酸成分の酸化重合反応を促進させる酸化重合促進剤を含む定着ローラ、および記録媒体を介して前記定着ローラを押圧して前記定着ローラに含まれた前記酸化重合促進剤を前記像に付着させる加圧ローラを有する定着部、
を備えることを特徴とする。
これにより、特に高い温度に加熱しなくても、トナー粒子を記録媒体上に強固に定着させることができる。さらに、定着に時間がかからないため、印刷速度のさらなる高速化を図ることができる。また、定着に大きい熱量を必要としないため、省エネルギー化も図ることができる。
本発明の画像形成装置は、絶縁性液体とトナー粒子とを含む液体現像剤を貯留する液体現像剤貯留部と、
前記液体現像剤貯留部より供給された前記液体現像剤を用いて現像する現像部と、
像担持体と、
前記現像部で前記像担持体に現像された像を記録媒体に転写する転写部と、
前記不飽和脂肪酸成分の酸化重合反応を促進させる酸化重合促進剤を含む定着ローラ、および記録媒体を介して前記定着ローラを押圧して前記定着ローラに含まれた前記酸化重合促進剤を前記像に付着させる加圧ローラを有する定着部と、
を備えることを特徴とする
これにより、特に高い温度に加熱しなくても、トナー粒子を記録媒体上に強固に定着させることができる。さらに、定着に時間がかからないため、印刷速度のさらなる高速化を図ることができる。また、定着に大きい熱量を必要としないため、省エネルギー化も図ることができる。
【手続補正８】
【補正対象書類名】明細書
【補正対象項目名】００１０
【補正方法】変更
【補正の内容】
【００１０】
以下、本発明の定着方法、定着装置および画像形成装置の好適な実施形態について説明する。
本発明の定着装置は、不飽和脂肪酸成分を含む絶縁性液体中にトナー粒子が分散した液体現像剤を用いて記録媒体上に形成されたトナー画像を定着するものである。
図１は、本発明の定着装置を示す断面図である。
定着装置Ｆ４０は、後に詳述するような画像形成装置によって形成された未定着トナー画像Ｆ５ａを有する記録媒体Ｆ５上に、未定着トナー画像Ｆ５ａを定着させるものである。